(57)【特許請求の範囲】
【請求項１】
高周波フィルタであって、
第１信号を出力する第１出力部と、
第１フィルタと、
第２フィルタと、
前記第１フィルタと前記第２フィルタとの整合をとるべく前記第１フィルタの出力部及び前記第２フィルタの出力部に接続された第１整合回路と
を含み、
前記第１信号は、前記第１整合回路を介して、前記第１フィルタの出力部及び前記第２フィルタの出力部の一方から前記第１出力部に与えられ、
前記第１整合回路は、前記第１出力部と前記第１フィルタ及び前記第２フィルタの一方のみの出力部との間に直列に接続された共振器を含み、
前記高周波フィルタの入力部と前記第１フィルタ及び前記第２フィルタ双方の入力部との間には共振器が存在しない高周波フィルタ。
【請求項２】
前記第１フィルタ及び前記第２フィルタはそれぞれ通過帯域を有し、
前記第１フィルタ及び前記第２フィルタの、前記共振器が接続された前記一方は、前記第１フィルタ及び前記第２フィルタの他方よりも高い周波数の通過帯域を有する請求項１の高周波フィルタ。
【請求項３】
前記第１フィルタは第１受信フィルタであり、
前記第２フィルタは第２受信フィルタである請求項１の高周波フィルタ。
【請求項４】
前記第１受信フィルタ及び前記第２受信フィルタの少なくとも一方は弾性波フィルタである請求項３の高周波フィルタ。
【請求項５】
前記第１受信フィルタの入力部及び前記第２受信フィルタの入力部に接続されたアンテナスイッチをさらに含む請求項３の高周波フィルタ。
【請求項６】
前記高周波フィルタの入力部と前記第１受信フィルタ及び前記第２受信フィルタ双方の入力部とに電気的に接続された第２整合回路をさらに含む請求項５の高周波フィルタ。
【請求項７】
前記第１受信フィルタ及び前記第２受信フィルタの少なくとも一方は不平衡−平衡変換機能を有する請求項３の高周波フィルタ。
【請求項８】
前記第１受信フィルタ及び前記第２受信フィルタはデュプレクサの中に含まれる請求項７の高周波フィルタ。
【請求項９】
高周波フィルタであって、
受信信号を受信する入力部と、
入力部及び出力部を有する第１受信フィルタと、
入力部及び出力部を有する第２受信フィルタと、
前記第１受信フィルタと前記第２受信フィルタとの整合をとるべく前記第１受信フィルタの出力部及び前記第２受信フィルタの出力部に接続された第１整合回路と
を含み、
前記第１受信フィルタの入力部は前記高周波フィルタの入力部に結合され、
前記第２受信フィルタの入力部は前記高周波フィルタの入力部に結合され、
前記第１整合回路は、前記高周波フィルタの出力部と前記第１受信フィルタ及び前記第２受信フィルタの一方のみの出力部に直列に接続された共振器を含み、
前記高周波フィルタの入力部と前記第１受信フィルタ及び前記第２受信フィルタ双方の入力部との間には共振器が存在しない高周波フィルタ。
【請求項１０】
前記高周波フィルタの入力部と前記第１受信フィルタの入力部との間に電気的に接続された第２整合回路をさらに含む請求項９の高周波フィルタ。
【請求項１１】
前記高周波フィルタの入力部と前記第２受信フィルタの入力部との間に電気的に接続された第３整合回路をさらに含む請求項１０の高周波フィルタ。
【請求項１２】
前記入力部に切り替え可能に接続されたアンテナをさらに含む請求項９の高周波フィルタ。
【請求項１３】
前記第１受信フィルタ及び前記第２受信フィルタはそれぞれ通過帯域を有し、
前記第１受信フィルタ及び前記第２受信フィルタの、前記共振器が接続された前記一方は、前記第１受信フィルタ及び前記第２受信フィルタの他方よりも高い周波数の通過帯域を有する請求項９の高周波フィルタ。
【請求項１４】
前記第２受信フィルタは不平衡−平衡変換機能を有し、
前記第２受信フィルタの出力部は、前記第１整合回路に接続された第１出力部、及び前記第１整合回路に接続された第２出力部を有する請求項９の高周波フィルタ。
【請求項１５】
前記第１整合回路は、
前記高周波フィルタの出力部と前記第２受信フィルタの前記第１出力部との間に直列に接続された第１共振器と、
前記高周波フィルタの出力部と前記第２受信フィルタの前記第２出力部との間に直列に接続された第２共振器と
を含む請求項１４の高周波フィルタ。
【請求項１６】
高周波フィルタであって、
第１信号を受信する第１入力部と、
第１フィルタと、
第２フィルタと、
前記第１フィルタと前記第２フィルタとの整合をとるべく前記第１フィルタの入力部及び前記第２フィルタの入力部に接続された第１整合回路と
を含み、
前記第１信号は、前記第１整合回路を介して前記第１フィルタの入力部及び前記第２フィルタの入力部の一方に与えられ、
前記第１整合回路は、前記第１入力部と前記第１フィルタ及び前記第２フィルタの一方のみの入力部との間に直列に接続された第１共振器を含む高周波フィルタ。
【請求項１７】
第２信号を受信する第２入力部と、
第１受信フィルタと、
第２受信フィルタと
をさらに含み、
前記第１フィルタは第１送信フィルタであり、
前記第２フィルタは第２送信フィルタであり、
前記第１信号は送信信号であり、
前記第２信号は、前記第１受信フィルタ及び前記第２受信フィルタに与えられる受信信号である請求項１６の高周波フィルタ。
【請求項１８】
前記第２送信フィルタの通過帯域の周波数帯は、前記第１送信フィルタの通過帯域の周波数帯より高く、
前記第２受信フィルタの通過帯域の周波数帯は、前記第１受信フィルタの通過帯域の周波数帯より高く、
前記第２送信フィルタの通過帯域の周波数帯及び前記第１受信フィルタの通過帯域の周波数帯は一部が重複する請求項１７の高周波フィルタ。
【請求項１９】
前記第１受信フィルタと前記第２受信フィルタとの整合をとるべく前記第１受信フィルタの入力部及び前記第２受信フィルタの入力部に接続された第２整合回路をさらに含む請求項１７の高周波フィルタ。
【請求項２０】
前記第２整合回路は、前記第１受信フィルタ及び前記第２受信フィルタの一方の出力部に直列に接続された第２共振器を含み、
前記第１受信フィルタ及び前記第２受信フィルタの、前記第２共振器が接続された前記一方は、前記第１受信フィルタ及び前記第２受信フィルタの他方よりも高い周波数の通過帯域を有する請求項１９の高周波フィルタ。
【発明の詳細な説明】
【技術分野】
【０００１】
本発明は、高周波フィルタに関するものである。
【背景技術】
【０００２】
携帯電話のマルチバンド化、マルチモード化に伴い、携帯電話に搭載されるデュプレクサの数が増大している。一方、携帯電話の多機能化が加速することによるスペース不足の解消のため、無線部への小型化の要望が強まっている。このような背景で、複数のデュプレクサを集積したマルチデュプレクサモジュールへの期待は高まっている。
【０００３】
特許文献１は、図１２に示すマルチデュプレクサモジュール１０００を開示している。アンテナ端子１００２と、整合回路１０３１と、第１デュプレクサ１０３２と第２デュプレクサ１０３３とが配置されている。第１デュプレクサ１０３２と、アンテナ端子１００２とは、整合回路１０３１を介して接続されている。
【先行技術文献】
【特許文献】
【０００４】
【特許文献１】特開２０１０−４５５６３号公報
【特許文献２】特開２０００−３１５９３６号公報
【発明の概要】
【発明が解決しようとする課題】
【０００５】
このようなマルチデュプレクサモジュールと、アンテナおよびトランシーバとの接続の例を図１３に示す。図１３の（ａ）に示す例では、第１デュプレクサ１０３２と第２デュプレクサ１０３３の各送信側端子および各受信側端子とが、トランシーバの各端子と、それぞれの配線によって各ＰＡ（増幅器）１１０１〜１１０４を介して接続される。また、あるいは、図１３の（ｂ）に示す例のように、ＰＡを共用化することが検討されている。この例では、第１デュプレクサ１０３２および第２デュプレクサ１０３３の各送信側端子が、スイッチ１３０１を介して、トランシーバの端子と接続される。第１デュプレクサ１０３２および第２デュプレクサ１０３３の各送信側のフィルタの通過帯域が重複または近接している場合、このように、スイッチ１３０１を備えることで、ＰＡ１１０２を共用化できる。
【０００６】
しかし、このようにデュプレクサ等の送受信フィルタを複数配置した場合、配線が複雑となったり、新たに追加したスイッチの挿入損失による消費電力の増加やスイッチによる歪みが発生したり、また、スイッチ制御のための配線および回路の追加が必要になったりするという課題があった。
【０００７】
それゆえに、本発明の目的は、スイッチを用いることなく、ＰＡの共用化および配線や回路の簡易化を図ることができる、マルチバンドに対応した高周波フィルタを提供することである。
【課題を解決するための手段】
【０００８】
本発明は、高周波フィルタであって、第１のフィルタと、第２のフィルタと、第１のフィルタの入力側および第２のフィルタの入力側に接続された第１の整合回路とを備え、高周波フィルタへの入力である第１の入力は、第１の整合回路を介して、第１のフィルタまたは第２のフィルタに入力される。
【０００９】
また、上述の第１の整合回路は、少なくとも１つの第１の共振器を含み、少なくとも１つの共振器は、第１のフィルタおよび第２のフィルタのうち、通過帯域の周波数帯がより高いほうのフィルタの入力側に直列に接続される。
【００１０】
また、第１の入力は、送信信号であり、第１のフィルタおよび第２のフィルタは、それぞれ、送信信号が入力される第１の送信フィルタおよび第２の送信フィルタであり、第１の受信フィルタと、第２の受信フィルタとをさらに備え、高周波フィルタに入力される第２の入力である受信信号は、第１の受信フィルタおよび第２の受信フィルタに入力される。
【００１１】
また、第１の受信フィルタの出力側と第２の受信フィルタの出力側とに接続された第２の整合回路をさらに備える。
【００１２】
また、第２の整合回路は、少なくとも１つの第２の共振器を含み、少なくとも１つの第２の共振器は、第１の受信フィルタおよび第２の受信フィルタのうち、通過帯域の周波数帯がより高いほうのフィルタの入力側に直列に接続される。
【００１３】
また、第１の送信フィルタおよび第１の受信フィルタの組、および、第２の送信フィルタおよび第２の受信フィルタの組の少なくとも１組は、デュプレクサとして構成される。
【００１４】
また、第２の送信フィルタの通過帯域の周波数帯は、第１の送信フィルタの通過帯域の周波数帯より高く、第２の受信フィルタの通過帯域の周波数帯は、第１の受信フィルタの通過帯域の周波数帯より高く、第２の送信フィルタの通過帯域の周波数帯および第１の受信フィルタの通過帯域の周波数帯は、一部が重複する。
【００１５】
また、第１の送信フィルタ、第２の送信フィルタ、第１の受信フィルタ、第２の受信フィルタの少なくとも１つは、非漏洩弾性波を用いた弾性波フィルタにより構成される。
【００１６】
また、高周波フィルタは、増幅器をさらに備え、第１の入力は、増幅器によって増幅されたのち、第１の整合回路を介して第１のフィルタまたは第２のフィルタに入力されてもよい。
【００１７】
また、高周波フィルタは、各送信フィルタの出力側および各受信フィルタの入力側に接続されるアンテナスイッチをさらに備えてもよい。
【発明の効果】
【００１８】
本発明の高周波フィルタによれば、スイッチを用いることなく、ＰＡの共用化および配線や回路の簡易化を図ることができる。
【図面の簡単な説明】
【００１９】
【図１】図１は、本発明の第１の実施形態に係る高周波フィルタの構成および接続態様を示す図である。
【図２】図２は、本発明の第２の実施形態に係る高周波フィルタの構成および接続態様を示す図である。
【図３】図３は、本発明の第３の実施形態に係る高周波フィルタの構成および接続態様を示す図である。
【図４】図４は、本発明の第４の実施形態に係る高周波フィルタの構成および接続態様を示す図である。
【図５】図５は、本発明の第５の実施形態に係る高周波フィルタの構成および接続態様を示す図である。
【図６】図６は、本発明の第６の実施形態に係る高周波フィルタの構成および接続態様を示す図である。
【図７】図７は、本発明の第７の実施形態に係る高周波フィルタの構成および接続態様を示す図である。
【図８】図８は、本発明の第１の実施例に係る高周波フィルタの特性を示す図である。
【図９】図９は、本発明の第１の実施例に係る高周波フィルタの特性を示す図である。
【図１０】図１０は、本発明の第１の実施例に係る高周波フィルタの特性を示す図である。
【図１１】図１１は、本発明の第２の実施例に係る高周波フィルタの構成および接続態様を示す図である。
【図１２】図１２は、従来のマルチデュプレクサモジュールの構成を示す図である。
【図１３】図１３は、従来のマルチデュプレクサモジュールの接続態様を示す図である。
【発明を実施するための形態】
【００２０】
（第１の実施形態）
本発明の第１の実施形態について以下に説明する。図１は本実施形態に係る高周波フィルタ１００の構成と、アンテナ、トランシーバ等との接続の一例を示す図である。高周波フィルタ１００は、基板１０１と、基板上に配置された、第１の送信フィルタ１１１と、第２の送信フィルタ１１２と、第１の整合回路１２１と、トランシーバ９０１から出力されＰＡ９０４で増幅された送信信号が入力される入力端子１３１と、第１のアンテナ端子１４１と、第２のアンテナ端子１４２とを備える。入力端子１３１には、送信信号が入力される。入力端子１３１は、第１の整合回路１２１を介して、第１の送信フィルタ１１１と第２の送信フィルタ１１２とに接続されている。第１の送信フィルタ１１１と第２の送信フィルタ１１２の出力は、それぞれ、第１のアンテナ端子１４１と第２のアンテナ端子１４２に接続される。第１のアンテナ端子１４１と第２のアンテナ端子１４２とはアンテナスイッチ９０２を介してアンテナ９０３に接続される。
【００２１】
第１の送信フィルタ１１１および第２の送信フィルタ１１２は、例えば非漏洩波を用いたラダー型フィルタまたはＤＭＳフィルタ等の弾性波フィルタにより構成することができる。
【００２２】
第１の整合回路１２１は、第１の送信フィルタ１１１および第２の送信フィルタ１１２間の整合を取る。第１の整合回路１２１は、インダクタ１５２を信号経路に対して並列に接地接続し、第１の共振器１５３を、第１の送信フィルタ１１１および第２の送信フィルタ１１２の少なくとも一方の入力側に直列接続することにより実現できる。第１の共振器１５３は、第１の送信フィルタ１１１および第２の送信フィルタ１１２のうち、通過帯域の周波数帯がより高いほうの入力側に直列接続することが好ましい。第１の共振器１５３はキャパシタとしての特性を有し、直列に接続することでハイパスフィルタとして機能する。そのため、通過帯域の周波数帯がより高い送信フィルタの入力側に第１の共振器１５３を直列に接続することで、低い周波数帯に対応する送信信号が、当該送信フィルタに入力されることを、抑制することができる。本実施形態においては、第２の送信フィルタ１１２の通過帯域の周波数帯が、第１の送信フィルタ１１１の通過帯域の周波数帯より高いものとし、第２の送信フィルタ１１２の入力側に第１の共振器１５３を直列接続している。なお、第１の送信フィルタ１１１の入力側および第２の送信フィルタ１１２の入力側の両方にそれぞれ共振器を直列に接続してもよい。また、第１の整合回路１２１は、他の回路構成を用いて構成してもよい。
【００２３】
また、図１に示すように、第１の送信フィルタ１１１と第１のアンテナ端子１４１との間、および、第２の送信フィルタ１１２と第２のアンテナ端子１４２との間に、それぞれ整合回路１２２、１２３をさらに設けてもよい。
【００２４】
第１の送信フィルタ１１１、第２の送信フィルタ１１２の各入力側に第１の整合回路１２１を設けることにより、同一配線によって送信信号が入力されても第１の送信フィルタ１１１および第２の送信フィルタ１１２のそれぞれの通過帯域特性が発揮されるため、トランシーバ９０１の送信信号出力端子と高周波フィルタ１００の入力端子１３１との間の配線およびＰＡ９０４を共用化することができる。これにより、送信信号の入力先を切り替えるスイッチやこのスイッチを制御する回路を設ける必要がなくなり、配線や回路の簡易化を図ることができる。
【００２５】
（第２の実施形態）
本発明の第２の実施形態について以下に説明する。図２は本実施形態に係る高周波フィルタ２００の構成と、アンテナ、トランシーバ等との接続の一例を示す図である。高周波フィルタ２００は、第１の実施形態に係る高周波フィルタ１００において、第１の出力端子２６１および第２の出力端子２６２と、第１の受信フィルタ２１１と、第２の受信フィルタ２１２とをさらに備えたものである。
【００２６】
第１のアンテナ端子１４１と第２のアンテナ端子１４２には、アンテナ９０３からの受信信号がアンテナスイッチ９０２によって分岐され、入力される。第１のアンテナ端子１４１に入力された受信信号は、第１の受信フィルタ２１１に入力され、第２のアンテナ端子１４２に入力された受信信号は、第２の受信フィルタ２１２に入力される。また、第１の受信フィルタ２１１の出力は、第１の出力端子２６１に接続され、第２の受信フィルタ２１２の出力は、第２の出力端子２６２に接続される。第１の出力端子２６１および第２の出力端子２６２は、トランシーバ９１１に接続され、トランシーバ９１１に内蔵されたＰＡ９０５、ＰＡ９０６は、受信信号を増幅する。
【００２７】
第１の受信フィルタ２１１および第２の受信フィルタ２１２は、例えば、非漏洩波を用いたラダー型フィルタまたはＤＭＳフィルタ等の弾性波フィルタにより構成することができる。
【００２８】
本実施形態においてもトランシーバ９１１の送信信号出力端子と高周波フィルタ２００の入力端子１３１との間の配線およびＰＡ９０４が共用化される。これにより、第１の実施形態と同様、送信信号の入力先を切り替えるスイッチやこのスイッチを制御する回路を設ける必要がなくなり、配線や回路の簡易化を図ることができる。
【００２９】
（第３の実施形態）
本発明の第３の実施形態について以下に説明する。図３は本実施形態に係る高周波フィルタ３００の構成と、アンテナ、トランシーバ等との接続の一例を示す図である。高周波フィルタ３００は、第２の実施形態に係る高周波フィルタ２００において、第１の受信フィルタ２１１の出力側と第２の受信フィルタ２１２の出力側とに第２の整合回路３２２をさらに備え、第１の出力端子２６１および第２の出力端子２６２の代わりに、第１の受信フィルタ２１１と第２の受信フィルタ２１２の各出力が、第２の整合回路３２２を介して接続される第３の出力端子３６３を備えたものである。
【００３０】
第２の整合回路３２２は、第１の受信フィルタ２１１および第２の受信フィルタ２１２間の整合を取る。第２の整合回路３２２は、インダクタ３５２を信号経路に対して並列に接地接続し、第２の共振器３５３を、第１の受信フィルタ２１１および第２の受信フィルタ２１２の少なくとも一方の出力側に直列接続することにより、実現できる。第２の共振器３５３は、第１の受信フィルタ２１１および第２の受信フィルタ２１２のうち、通過帯域の周波数帯がより高い受信フィルタの出力側に直列接続することが好ましい。これにより、当該受信フィルタの出力から、低い周波数帯に対応する受信信号を除去することができる。本実施形態においては、第２の受信フィルタ２１２の通過帯域の周波数帯が、第１の受信フィルタ２１１の通過帯域の周波数帯より高いものとし、第２の受信フィルタ２１２の出力側に第２の共振器３５３を直列接続している。なお、第１の受信フィルタ２１１の出力側および第２の受信フィルタ２１２の出力側の両方にそれぞれ共振器を直列に接続してもよい。また、第２の整合回路３２２は、他の回路構成を用いて構成してもよい。
【００３１】
本実施形態においてもトランシーバ９２１の送信信号出力端子と高周波フィルタ３００の入力端子１３１との間の配線およびＰＡ９０４が共用化される。また、第３の出力端子３６３は、トランシーバ９２１に接続され、トランシーバ９２１に内蔵されたＰＡ９０７は、受信信号を増幅する。すなわち、トランシーバ９２１の受信信号入力端子と高周波フィルタ３００の第３の出力端子３６３との間の配線およびＰＡ９０７が共用化される。これにより、さらに配線の簡易化を図ることができる。
【００３２】
（第４の実施形態）
本発明の第４の実施形態について以下に説明する。図４は本実施形態に係る高周波フィルタ４００の構成と、アンテナ、トランシーバ等との接続の一例を示す図である。高周波フィルタ４００は、第２の実施形態に係る高周波フィルタ２００において、第１の受信フィルタ２１１および第２の受信フィルタ２１２として、それぞれ不平衡−平衡変換機能を有するフィルタ４１３およびフィルタ４１４を備え、第１の出力端子２６１および第２の出力端子２６２の代わりに、第４−第７の出力端子４６４、４６５、４６６、４６７を備えたものである。第１の受信フィルタ４１３の１対の各出力信号線は、第４の出力端子４６４および第５の出力端子４６５にそれぞれ接続され、第２の受信フィルタ４１４の１対の各出力信号線は、第６の出力端子４６６および第７の出力端子に４６７にそれぞれ接続される。
【００３３】
第１の受信フィルタ４１３および第２の受信フィルタ４１４は、例えば非漏洩波を用いたラダー型フィルタまたはＤＭＳフィルタ等の弾性波フィルタにより構成することができる。
【００３４】
本実施形態においてもトランシーバ９３１の送信信号出力端子と高周波フィルタ２００の入力端子１３１との間の配線およびＰＡ９０４が共用化される。これにより、第１の実施形態と同様、送信信号の入力先を切り替えるスイッチやこのスイッチを制御する回路を設ける必要がなくなり、配線や回路の簡易化を図ることができる。
【００３５】
（第５の実施形態）
本発明の第５の実施形態について以下に説明する。図５は本実施形態に係る高周波フィルタ５００の構成図である。高周波フィルタ５００は、第３の実施形態に係る高周波フィルタ３００において、第１の受信フィルタ２１１および第２の受信フィルタ２１２として、第４の実施形態同様、それぞれ不平衡−平衡変換機能を有する第１の受信フィルタ４１３および第２の受信フィルタ４１４を備え、第３の出力端子３６３の代わりに第８の出力端子５６８および第９の出力端子５６９を備え、また、第２の整合回路３２２の代わりに第３の整合回路５２３を備えたものである。第１の受信フィルタ４１３の１対の各出力信号線は、第８の出力端子５６８および第９の出力端子５６９にそれぞれ接続され、第２の受信フィルタ４１４の１対の各出力信号線もまた、第８の出力端子５６８および第９の出力端子５６９にそれぞれ接続される。
【００３６】
第３の整合回路５２３は、第１の受信フィルタ４１３および第２の受信フィルタ４１４間の整合を取る。第３の整合回路５２３は、インダクタ５５２を第８の出力端子５６８と第９の出力端子５６９との間に接続し、第３の共振器５５３および第４の共振器５５４を、第１の受信フィルタ４１３および第２の受信フィルタ４１４のうち、通過帯域の周波数帯がより高いほうの出力側の各出力信号線に直列接続することにより、実現できる。通過帯域の周波数帯がより高い受信フィルタの出力側に共振器を直列に接続することで、当該受信フィルタの出力から、低い周波数帯に対応する受信信号を除去することができる。本実施形態においては、第２の受信フィルタ４１４の通過帯域の周波数帯が、第１の受信フィルタ４１３の通過帯域の周波数帯より高いものとし、第２の受信フィルタ４１４の出力側に第３の共振器５５３および第４の共振器５５４を直列接続している。なお、第１の受信フィルタ２１１の出力側および第２の受信フィルタ２１２の出力側の両方にそれぞれ共振器を直列に接続してもよい。また、第３の整合回路５２３は、他の回路構成を用いて構成してもよい。
【００３７】
本実施形態においてもトランシーバ９４１の送信信号出力端子と高周波フィルタ５００の入力端子１３１との間の配線およびＰＡ９０４が共用化される。さらに、トランシーバ９４１の受信信号入力端子と高周波フィルタ５００の第８の出力端子５６８および第９の出力端子５６９との間の配線およびＰＡ９０９が共用化される。これにより、さらに配線の簡易化を図ることができる。
【００３８】
（第６の実施形態）
本発明の第６の実施形態について以下に説明する。図６は本実施形態に係る高周波フィルタ６００の構成図である。高周波フィルタ６００は、第４の実施形態に係る高周波フィルタ４００において、第１の送信フィルタ１１１および第１の受信フィルタ４１３を、第１のデュプレクサ６１１によって構成し、第２の送信フィルタ１１２および第２の受信フィルタ４１４を、第２のデュプレクサ６１２によって構成したものである。高周波フィルタ６００のアンテナおよびトランシーバとの接続態様は、図４に示す第４の実施形態に係る高周波フィルタ４００と同様であり、送信信号の入力先を切り替えるスイッチやこのスイッチを制御する回路を設ける必要がなく、配線や回路の簡易化を図ることができる。
【００３９】
なお、高周波フィルタ６００は、第１の送信フィルタ１１１および第１の受信フィルタ４１３の組、および、第２の送信フィルタ１１２および第２の受信フィルタ４１４の組の両方をデュプレクサによって構成したが、いずれか一方のみをデュプレクサによって構成してもよい。
【００４０】
（第７の実施形態）
本発明の第７の実施形態について以下に説明する。図７は本実施形態に係る高周波フィルタ７００の構成図である。高周波フィルタ７００は、第５の実施形態に係る高周波フィルタ５００において、第１の送信フィルタ１１１および第１の受信フィルタ４１３を、第１のデュプレクサ７１１によって構成し、第２の送信フィルタ１１２および第２の受信フィルタ４１４を、第２のデュプレクサ７１２によって構成したものである。高周波フィルタ７００のアンテナおよびトランシーバとの接続態様は、図５に示す第５の実施形態に係る高周波フィルタ５００と同様であり、トランシーバの送信信号出力端子と高周波フィルタ５００の入力端子１３１との間の配線およびＰＡ９０４が共用化される。さらに、トランシーバ９４１の受信信号入力端子と高周波フィルタ５００の第８の出力端子５６８および第９の出力端子５６９との間の配線およびＰＡ９０９が共用化される。これにより、さらに配線の簡易化を図ることができる。
【００４１】
なお、高周波フィルタ７００は、第１の送信フィルタ１１１および第１の受信フィルタ４１３の組、および、第２の送信フィルタ１１２および第２の受信フィルタ４１４の組の両方をデュプレクサによって構成したが、いずれか一方のみをデュプレクサによって構成してもよい。
【００４２】
また、他の実施形態として、第２および第３の実施形態に係る高周波フィルタ２００および３００において、第１の送信フィルタ１１１および第１の受信フィルタ２１１の組、および、第２の送信フィルタ１１２および第２の受信フィルタ２１２の組の少なくとも１組をデュプレクサによって構成してもよい。
【実施例１】
【００４３】
本発明の第１の実施例を説明する。本実施例に係る高周波フィルタ８００は、第５の実施形態に係る高周波フィルタ５００において、第１の送信フィルタ１１１および第１の受信フィルタ４１３を、それぞれバンド５の送信および受信の周波数帯域（送信：８２４〜８４９ＭＨｚ、受信：８６９〜８９４ＭＨｚ）に対応するものとし、第２の送信フィルタ１１２および第２の受信フィルタ４１４を、それぞれバンド８の送信および受信の周波数帯域（送信：８８０〜９１５ＭＨｚ、受信：９２５〜９６０ＭＨｚ）に対応するものとした。
【００４４】
すなわち、第２の送信フィルタ１１２の通過帯域の周波数帯は、第１の送信フィルタ１１１の通過帯域の周波数帯より高く、第２の受信フィルタ４１４の通過帯域の周波数帯は、第１の受信フィルタ４１３の通過帯域の周波数帯より高く、第２の送信フィルタ１１２の通過帯域の周波数帯および第１の受信フィルタ４１３の通過帯域の周波数帯は、一部が重複している。
【００４５】
図８は、図５に示すアンテナスイッチ９０２が第１のアンテナ端子１４１側に切り替えられている場合、および、第２のアンテナ端子１４２側に切り替えられている場合の、入力端子１３１とアンテナとの間の通過特性を示したグラフである。それぞれバンド５およびバンド８の送信信号の周波数帯域に対応した通過帯域が実現されていることが分かる。
【００４６】
図９は、図５に示すアンテナスイッチ９０２が第１のアンテナ端子１４１側に切り替えられている場合、および、第２のアンテナ端子１４２側に切り替えられている場合の、アンテナと第８の出力端子５６８（第９の出力端子５６９）との間の通過特性を示したグラフである。それぞれバンド５およびバンド８の受信信号の周波数帯域に対応した通過帯域が実現されていることが分かる。
【００４７】
図１０は、図５に示すアンテナスイッチ９０２が第１のアンテナ端子１４１側に切り替えられている場合、および、第２のアンテナ端子１４２側に切り替えられている場合の、入力端子１３１と第８の出力端子５６８（第９の出力端子５６９）との間の通過特性を示したグラフである。いずれもバンド５およびバンド８の送受信信号の周波数帯域において、アイソレーションが確保されていることが分かる。
【実施例２】
【００４８】
本発明の第２の実施例を説明する。図１１は、本実施例の構成を示す図である。本実施例は、高周波フィルタ１００ａおよび１００ｂを用いて構成され、送信および受信を時分割して交互に行うＴＤＤ（Ｔｉｍｅ  Ｄｉｖｉｓｉｏｎ  Ｄｕｐｌｅｘ：時分割複信）方式を用いた通信に用いられる。高周波フィルタ１００ａとして、第１の実施形態に係る高周波フィルタ１００が用いられる。高周波フィルタ１００ｂは、高周波フィルタ１００において、第１の送信フィルタ１１１および第２の送信フィルタ１１２の代わりに第１の受信フィルタ１２５および第２の受信フィルタ１２６を備え、入力端子１３１の代わりに出力端子１３２を備えたものであり、受信用のフィルタとして機能する。他の構成要素は高周波フィルタ１００と同様であり同一の数字を含む符号によって参照する。一例として、高周波フィルタ１００ａの第１の送信フィルタ１１１および第２の送信フィルタ１１２は、それぞれバンド５の送信およびバンド８の送信の周波数帯域に対応し、高周波フィルタ１００ｂの第１の受信フィルタ１２５および第２の受信フィルタ１２６は、それぞれバンド５の受信およびバンド８の受信の周波数帯域に対応する。
【００４９】
高周波フィルタ１００ａの入力端子１３１には、トランシーバ９０１から出力されＰＡ９０４で増幅された送信信号が入力され、第１のアンテナ端子１４１および第２のアンテナ端子１４２は、アンテナスイッチ９１２を介してアンテナ９０３に接続される。
【００５０】
高周波フィルタ１００ｂの第１のアンテナ端子１４１ｂおよび第２のアンテナ端子１４２ｂは、アンテナスイッチ９１２を介してアンテナ９０３に接続されて受信信号が入力され、出力端子１３２からの出力信号は、ＰＡ９１０で増幅されトランシーバ９５１に入力される。
【００５１】
アンテナスイッチ９１２は、アンテナ９０３の接続先を、高周波フィルタ１００ａの第１のアンテナ端子１４１および第２のアンテナ端子１４２、高周波フィルタ１００ｂの第１のアンテナ端子１４１ｂおよび第２のアンテナ端子１４２ｂのいずれかに切り替える。これにより、バンド５の送信、バンド８の送信、バンド５の受信およびバンド８の受信を切り替えることができる。このような切り替えを所定のタイムスライスで繰り返すことにより、２つのバンドを用いた、ＴＤＤ方式による通信を実現することができる。
【００５２】
以上、本発明の高周波フィルタの各実施形態、実施例について説明したが、本発明は、高周波フィルタ単体として実現することができるだけでなく、他のフィルタ等との組合せにより、他の電子回路モジュールの一部として実現することもできる。また、上述したアンテナスイッチや送信信号用のＰＡ等を、高周波フィルタの構成要素としてもよい。また、上述の説明では、高周波フィルタは、無線送受信器に適用するものとして説明したが、他の用途のフィルタとして用いることもできる。
【産業上の利用可能性】
【００５３】
本発明は、携帯電話等に用いられる高周波フィルタにおいて有用であり、とくにマルチバンド対応の高周波フィルタに有用である。
【符号の説明】
【００５４】
１００、１００ａ、２００、３００、４００、５００、６００、７００、８００    高周波フィルタ
１１１、１１２、１２５、１２６    送信フィルタ
１２１、１２１ｂ、１２２、１２３、３２２、５２３    整合回路
１３１    入力端子
１４１、１４１ｂ、１４２、１４２ｂ    アンテナ端子
１５２、１５２ｂ、３５２    インダクタ
１５３、１５３ｂ、３５３、５５３、５５４    共振器
２１１、２１２、４１３、４１４    受信フィルタ
１３２、２６１、２６２、２６３、３６３、４６４、４６５、４６６、４６７、５６８、５６９    出力端子
６１１、６１２    デュプレクサ
９０１、９１１、９２１、９３１、９４１、９５１    トランシーバ
９０２、９１２    アンテナスイッチ
９０３    アンテナ
９０４、９０５、９０６、９０７、９０８、９０９、９１０    ＰＡ
１０００    マルチプレクサモジュール
１００２    アンテナ端子
１０３１    整合回路
１０３２    第１のデュプレクサ
１０３３    第２のデュプレクサ
１３０１    スイッチ
【図１】
0006553665.tif 000002
【図２】
0006553665.tif 000003
【図３】
0006553665.tif 000004
【図４】
0006553665.tif 000005
【図５】
0006553665.tif 000006
【図６】
0006553665.tif 000007
【図７】
0006553665.tif 000008
【図８】
0006553665.tif 000009
【図９】
0006553665.tif 000010
【図１０】
0006553665.tif 000011
【図１１】
0006553665.tif 000012
【図１２】
0006553665.tif 000013
【図１３】
0006553665.tif 000014